(57)【特許請求の範囲】
【請求項１】
レンズ保持枠と、レンズ保持枠を固着する鏡筒部材とを有し、前記レンズ保持枠がレンズ側に設けられ円周方向に断続的に延びた第１円周溝と、前記鏡筒部材側に設けられ円周方向に断続的に延びた第２円周溝とを有し、前記第１円周溝は溝の部分が溝でない部分より長く、前記第２円周溝は溝の部分が溝でない部分より短く、前記第１円周溝の溝の部分が前記第２円周溝の溝でない部分と円周方向において部分的に重複し、前記第２円周溝の溝の部分にこの溝の光軸に平行な方向の幅を拡張する溝拡張手段を設けたことを特徴とするレンズ鏡筒。
【請求項２】
前記溝拡張手段が、放射方向に延びたねじ穴と、該ねじ穴の放射方向外側で前記第２円周溝内に設けられ光軸側が細い先細溝と、前記ねじ穴に嵌合する調整ねじからなることを特徴とする請求項１に記載のレンズ鏡筒。
【請求項３】
前記溝拡張手段が、放射方向に延びたねじ穴と、該ねじ穴に嵌合し偏心部分が前記第２円周溝に係合する偏心ねじからなることを特徴とする請求項１に記載のレンズ鏡筒。
【発明の詳細な説明】
【０００１】
【発明の属する技術分野】
本発明は、レンズ鏡筒、さらに詳しくは、レンズ結像の一部がボケているいわゆる片ボケのとき、光軸に対するレンズの傾きを調整してこの片ボケを解消させる構成を有するレンズ鏡筒に関する。
【０００２】
【従来の技術】
レンズ結像の一部がボケているとき光軸に対するレンズの傾きを調整してこのボケを解消させる構成の従来技術としては、図６の正面図及び図７の断面図に示すように、レンズ保持枠１００と、該レンズ保持枠１００を片ボケ調整枠１０２を介して保持する鏡筒部１０４からなる。片ボケ調整枠１０２は、円周等分３箇所に、放射方向に延びたねじ穴１２０と、該ねじ穴１２０の放射方向外側で光軸０側が細い先細溝１２２と、前記ねじ穴１２０に嵌合する調整ねじ１２４からなる。この構成において、１箇所又は２箇所の調整ねじ１２４をねじ込むことによって片ボケ調整枠１０２を変形させすなわち光軸０と平行な方向へ部分的に変位させて、片ボケ調整枠１０２に取り付けられたレンズ保持枠１００の光軸０に対する傾きを調整する。
【０００３】
【発明が解決しようとする課題】
上述した従来技術のレンズ結像の一部がボケているとき光軸に対するレンズの傾きを調整してこのボケを解消させる構成は、部品点数が多く、その組み立て調整も複雑であり、製造コストが高いだけでなく、調整後に狂いが生じる可能性もある。
【０００４】
【発明の目的】
本発明は従来技術のレンズ結像の一部がボケているとき光軸に対するレンズの傾きを調整してこのボケを解消させる構成の上述した問題点に鑑みてなされたものであって、部品点数が少なく、組み立て調整が簡単で製造コストが低く、調整後の狂いの発生のおそれが少ない安定したレンズ鏡筒を提供することを目的とする。
【０００５】
【課題を解決するための手段】
本発明は、レンズ保持枠と、レンズ保持枠を固着する鏡筒部材とを有し、前記レンズ保持枠がレンズ側に設けられ円周方向に断続的に延びた第１円周溝と、前記鏡筒部材側に設けられ円周方向に断続的に延びた第２円周溝とを有し、前記第１円周溝は溝の部分が溝でない部分より長く、前記第２円周溝は溝の部分が溝でない部分より短く、前記第１円周溝の溝の部分が前記第２円周溝の溝でない部分と円周方向においてほぼ一致し、前記第２円周溝の溝の部分にこの溝の光軸方向の幅を前記第１円周溝の方向に拡張する溝拡張手段を設けたことを特徴とするレンズ鏡筒である。
【０００６】
本願の実施態様は、以下のとおりである。前記溝拡張手段が、放射方向に延びたねじ穴と、該ねじ穴の放射方向外側で前記第２円周溝内に設けられ光軸側が細い先細溝と、前記ねじ穴に嵌合する調整ねじからなることを特徴とする。また、前記溝拡張手段が、放射方向に延びたねじ穴と、該ねじ穴に嵌合し偏心部分が前記第２円周溝に係合する偏心ねじからなることを特徴とする。
【０００７】
【発明の実施の形態】
本発明の１つの実施形態であるレンズ鏡筒１を図面を参照して説明する。図１はレンズ鏡筒１の断面図である。図２はレンズ鏡筒１の正面図である。図３はレンズ鏡筒１の外形展開図である。図４は図２及び図３における線IV−IVに沿った断面図である。図５は図２及び図３における線Ｖ−Ｖに沿った断面図である。
レンズ鏡筒１は、レンズ２を保持するレンズ把持部４を有するレンズ保持枠１０と、レンズ保持枠１０を固着する鏡筒部材１２とを有する。レンズ保持枠１０は、レンズ２側に設けられ円周方向に断続的に延びた第１円周溝２０と、前記鏡筒部材１２側に設けられ円周方向に断続的に延びた第２円周溝２２とを有する。
【０００８】
ここで、円周溝とは、光軸０を中心とする円筒の同一円周上で溝及び溝でない部分を規則的に繰り返す部分である。第１円周溝２０及び第２円周溝２２は、円周等分で各３個の溝部を持っている。第１円周溝２０は溝部の部分が溝部でない部分より長く、前記第２円周溝２２は溝部の部分が溝部でない部分より短く、前記第１円周溝２０の溝部の部分が前記第２円周溝２２の溝部でない部分と円周方向においてほぼ一致している。
第２円周溝２２の溝の部分には、この溝の光軸方向の幅を前記第１円周溝２０の方向に拡張する溝拡張手段３０が設けられている。溝拡張手段３０は、放射方向に延びた先細形のねじ穴４０と、前記ねじ穴４０に嵌合する調整ねじ４２からなる。
【０００９】
このような構成において、調整ねじ４２をねじ穴４０に捩じ込むに連れ、調整ねじ４２の先端部がねじ穴４０の奥部の直径の小さい部分に入り、結果的に第２円周溝２２の光軸方向の幅が拡大される。第２円周溝２２の第１円周溝２０の側の部分は、第１円周溝２０の反対側の部分よりも小さな剛性を有するように形成されている。
そのため、上述した第２円周溝２２の光軸方向の幅の拡大により、第２円周溝２２の前方部分すなわち第１円周溝２０の側の部分のみが溝幅を拡張する方向に移動する。その結果、レンズ把持部４は、調整ねじ４２を捩じ込んだねじ穴４０を除く他のねじ穴４０’、４０”に対応した第２円周溝２２の溝部でない部分を中心に、調整ねじ４２を捩じ込んだねじ穴４０に対応した第２円周溝２２の溝部でない部分を前方に押出すようにして、レンズ保持枠１０のレンズ把持部４すなわちレンズ２の光軸Ｏに対する傾きが調整される。
【００１０】
本発明の他の実施態様として、前記実施態様の調整ねじ４２とねじ穴４０に替えて、偏心ねじを配置し、該偏心ねじの偏心部分を第２円周溝２２に当接させる。この偏心ねじの回転角度位置を調整することによって、レンズの光軸０に対する傾きを調整する。
【００１１】
【発明の効果】
本発明によれば、レンズ結像の一部がボケているとき光軸に対するレンズの傾きを調整してこのボケを解消させることができるレンズ鏡筒を構成し、本構成は部品点数が少なく、組み立て調整が簡単で製造コストが低く、調整後の狂いの発生のおそれが少ない安定している効果を有する。
【図面の簡単な説明】
【図１】本発明の実施形態のレンズ鏡筒の断面図である。
【図２】本発明の実施形態のレンズ鏡筒の正面図である。
【図３】本発明のレンズ鏡筒の外形展開図である。
【図４】図２及び図３における線IV−IVに沿った断面図である。
【図５】図２及び図３における線Ｖ−Ｖに沿った断面図である。
【図６】従来技術のレンズ鏡筒の正面図である。
【図７】従来技術のレンズ鏡筒の断面図である。
【符号の説明】
１        鏡筒
２        レンズ
４        レンズ把持部
１０      レンズ保持枠
１２      鏡筒部材
２０      第１円周溝
２２      第２円周溝
３０      溝拡張手段
４０      ねじ穴
４２      調整ねじ
５０      先細溝
【図１】
0004518630.tif 000002
【図２】
0004518630.tif 000003
【図３】
0004518630.tif 000004
【図４】
0004518630.tif 000005
【図５】
0004518630.tif 000006
【図６】
0004518630.tif 000007
【図７】
0004518630.tif 000008